(57)【要約】【課題】表示ムラを低減させることができる表示装置などを提供する。【解決手段】光源１６５と、光源１６５により発光された光を導光する導光体５２０と、を備える表示装置であって、導光体５２０は、光源１６５の光を入光する入光部としての導光脚部５２１と、導光脚部５２１から入光された光をＹ軸方向マイナス側に導光し、導光した光を表面に配置された反射意匠５２５においてＺ軸方向プラス側に反射する板状の出射部５２２と、を有し、出射部５２２の、反射意匠５２５のＹ軸方向マイナス側の端面５２４は、Ｙ軸方向に直交する仮想面としてのＸＺ平面に対して傾斜している傾斜面５３１〜５３６である。【選択図】図７
2019087437.tif 000002
【特許請求の範囲】
【請求項１】
光源と、前記光源により発光された光を導光する導光体と、を備える表示装置であって、
前記導光体は、
前記光源の前記光を入光する入光部と、
前記入光部から入光された光を第１方向に導光し、導光した光を表面に配置された意匠において第２方向に反射する板状の出射部と、を有し、
前記出射部の、前記意匠の前記第１方向側の端面は、前記第１方向に直交する仮想面に対して傾斜している傾斜面、または、前記導光体の他の面よりも反射率が高い高反射率面である
表示装置。
【請求項２】
前記端面は、前記第１方向および前記第２方向に略直交する第３方向に沿って並ぶ複数の前記傾斜面を有し、
前記複数の傾斜面のそれぞれは、前記第３方向において前記入光部から遠ざかるほど、前記意匠に近づく向きに傾斜している
請求項１に記載の表示装置。
【請求項３】
前記端面は、さらに、前記複数の傾斜面の間をつなぐ接続面を有する
請求項２に記載の表示装置。
【請求項４】
前記複数の傾斜面は、前記第３方向において前記入光部から遠い位置の前記傾斜面ほど前記仮想面に対して大きく傾斜して配置されている
請求項３に記載の表示装置。
【請求項５】
前記複数の傾斜面の前記第１方向側の複数の端部は、前記第３方向において前記入光部に近い位置の端部ほど前記第１方向側に膨らんでいる円弧上に配置されている
請求項３または４に記載の表示装置。
【請求項６】
前記端面は、複数の前記接続面を有し、
前記複数の接続面は、前記第３方向において前記入光部側に開放されており、前記第３方向において前記入光部から遠い位置の前記接続面ほど前記仮想面に対して小さく傾斜して配置されている
請求項３から５のいずれか１項に記載の表示装置。
【請求項７】
前記入光部は、前記光源から前記出射部まで延び、かつ、前記出射部に接続されている導光脚部である
請求項１から６のいずれか１項に記載の表示装置。
【請求項８】
前記意匠は、頂点が前記第２方向側に配置され底面が前記第２方向とは反対側の空間に開放されている円錐形状または角錐形状の凹部が複数配置されることにより形成されている
請求項１から７のいずれか１項に記載の表示装置。
【発明の詳細な説明】
【技術分野】
【０００１】
本発明は、表示装置に関する。
【背景技術】
【０００２】
特許文献１には、導光体の端部から光源の光を導入して多数の凹部のテーパ面で導入した光を反射させるバックライト導光体が開示されている。
【先行技術文献】
【特許文献】
【０００３】
【特許文献１】特開２００７−８０７８９号公報
【発明の概要】
【発明が解決しようとする課題】
【０００４】
しかしながら、特許文献１に開示のバックライト導光体では、多数の凹部の一方側のみから光を導入している構成であるため、一方側の光量が多くなり他方側の光量が少なくなる。このため、表示ムラが生じるという課題がある。
【０００５】
そこで、本発明は、表示ムラを低減させることができる表示装置を提供する。
【課題を解決するための手段】
【０００６】
本発明の一態様に係る表示装置は、光源と、前記光源により発光された光を導光する導光体と、を備える表示装置であって、前記導光体は、前記光源の前記光を入光する入光部と、前記入光部から入光された光を第１方向に導光し、導光した光を表面に配置された意匠において第２方向に反射する板状の出射部と、を有し、前記出射部の、前記意匠の前記第１方向側の端面は、前記第１方向に直交する仮想面に対して傾斜している傾斜面、または、前記導光体の他の面よりも反射率が高い高反射率面である。
【発明の効果】
【０００７】
本発明の表示装置は、表示ムラを低減させることができる。
【図面の簡単な説明】
【０００８】
【図１】図１は、実施の形態に係るステアリング入力装置が配置された車両の車室の一例を示す図である。
【図２】図２は、実施の形態に係るステアリング入力装置の使用例を示す図である。
【図３】図３は、実施の形態に係る入力装置の外観斜視図である。
【図４】図４は、実施の形態に係る入力装置の分解斜視図である。
【図５】図５は、第２操作部の分解斜視図である。
【図６】図６は、導光体の外観斜視図である。
【図７】図７は、導光体をＺ軸方向から見た図である。
【図８】図８は、入力装置の回路構成の一例を示すブロック図である。
【発明を実施するための形態】
【０００９】
本発明の一態様に係る表示装置は、光源と、前記光源により発光された光を導光する導光体と、を備える表示装置であって、前記導光体は、前記光源の前記光を入光する入光部と、前記入光部から入光された光を第１方向に導光し、導光した光を表面に配置された意匠において第２方向に反射する板状の出射部と、を有し、前記出射部の、前記意匠の前記第１方向側の端面は、前記第１方向に直交する仮想面に対して傾斜している傾斜面、または、前記導光体の他の面よりも反射率が高い高反射率面である。
【００１０】
これによれば、導光体の出射部には、意匠の第１方向側の端面、つまり意匠の入光部側とは反対側の端面が、傾斜面または高反射率面である。このため、入光部から出射部に導入された光は、第１方向に進んで意匠で反射すると共に、入光部側とは反対側の端面において反射して第１方向とは反対方向に進んで意匠で反射する。これにより、意匠は、第１方向からの光と、第１方向の反対方向からの光とを反射することができる。よって、表示装置は、意匠の表示ムラを低減することができる。
【００１１】
また、前記端面は、前記第１方向および前記第２方向に略直交する第３方向に沿って並ぶ複数の前記傾斜面を有し、前記複数の傾斜面のそれぞれは、前記第３方向において前記入光部から遠ざかるほど、前記意匠に近づく向きに傾斜していてもよい。
【００１２】
このため、出射部において端面まで進んだ光をより広範囲で意匠に向けて反射させることができる。これにより、意匠に対して第１方向およびその反対方向以外の方向からの光を向けることができる。よって、表示装置は、意匠の表示ムラを効果的に低減することができる。
【００１３】
また、前記端面は、さらに、前記複数の傾斜面の間をつなぐ接続面を有してもよい。
【００１４】
このため、端面の形状をコンパクトにすることができる。これにより、表示装置をコンパクトな構成で実現することができる。
【００１５】
また、前記複数の傾斜面は、前記第３方向において前記入光部から遠い位置の前記傾斜面ほど前記仮想面に対して大きく傾斜して配置されていてもよい。
【００１６】
このため、出射部において端面まで進んだ光のうち、第３方向において入光部から離れた位置に進んだ光であっても意匠に向けて効率よく反射させることができる。よって、表示装置は、意匠の表示ムラを効果的に低減することができる。
【００１７】
また、前記複数の傾斜面の前記第１方向側の複数の端部は、前記第３方向において前記入光部に近い位置の端部ほど前記第１方向側に膨らんでいる円弧上に配置されていてもよい。
【００１８】
このため、出射部において端面まで進んだ光のうち、第３方向において入光部から離れた位置に進んだ光であっても意匠に向けて効率よく反射させることができる。よって、表示装置は、意匠の表示ムラを効果的に低減できる。
【００１９】
また、前記端面は、複数の前記接続面を有し、前記複数の接続面は、前記第３方向において前記入光部側に開放されており、前記第３方向において前記入光部から遠い位置の前記接続面ほど前記仮想面に対して小さく傾斜して配置されていてもよい。
【００２０】
このため、出射部において端面まで進んだ光のうち、第３方向において入光部から離れた位置に進んだ光であっても意匠に向けて効率よく反射させることができる。よって、表示装置は、意匠の表示ムラを効果的に低減できる。
【００２１】
また、前記入光部は、前記光源から前記出射部まで延び、かつ、前記出射部に接続されている導光脚部であってもよい。
【００２２】
このため、光源からの光を、導光脚部の側面においてさまざまな角度で反射させることができるため、出射部の入光部側から意匠へ向かう光の進む角度を広範囲な角度とすることができる。これにより、意匠は、広範囲な角度の方向からの光を反射することができ、表示装置は、意匠の表示ムラを効果的に低減することができる。
【００２３】
また、前記意匠は、頂点が前記第２方向側に配置され底面が前記第２方向とは反対側の空間に開放されている円錐形状または角錐形状の凹部が複数配置されることにより形成されていてもよい。
【００２４】
このため、意匠は、広範囲な角度の方向からの光を効果的に第２方向に向けて反射させることができる。よって、表示装置は、意匠の表示ムラを効果的に低減することができる。
【００２５】
（実施の形態）
［１−１．ステアリング入力装置の構成］
まず、図１及び図２を参照しながら、実施の形態に係るステアリング入力装置２の構成について説明する。図１は、実施の形態に係るステアリング入力装置２が配置された車両の車室の一例を示す図である。図２は、実施の形態に係るステアリング入力装置２の使用例を示す図である。
【００２６】
図１に示す自動車４（車両の一例）の車室には、ステアリング入力装置２及び車載機器６が搭載されている。実施の形態に係るステアリング入力装置２は、ステアリングホイール８及び入力装置１００を備えている。
【００２７】
ステアリングホイール８は、自動車４を操舵するためのものである。ステアリングホイール８は、リング形状を有するリム１２と、リム１２の内周面に一体的に形成された略Ｔ字状のスポーク１４と、スポーク１４の中央部に配置されたホーンスイッチ（図示せず）を覆うホーンスイッチカバー１６とを有している。
【００２８】
入力装置１００は、車載機器６を操作するためのものであり、例えばステアリングホイール８のスポーク１４に配置されている。図２に示すように、ユーザである運転者は、リム１２を握っている右手の指１８（操作物体の一例）で入力装置１００に対して入力を行うことにより、車載機器６を操作することができる。入力装置１００の構成については後で詳述する。
【００２９】
車載機器６は、例えばコンパクトディスク等の光ディスクを再生するためのオーディオ機器である。車載機器６は、例えばダッシュボード２０内に配置されている。車載機器６の構成については後で詳述する。
【００３０】
［１−２．入力装置の構成］
次に、図３および図４を参照しながら、実施の形態に係る入力装置１００の構成について説明する。図３は、実施の形態に係る入力装置１００の外観斜視図である。図４は、実施の形態に係る入力装置１００の分解斜視図である。
【００３１】
図３および図４に示すように、実施の形態に係る入力装置１００は、筐体１１１と、第１操作部１１２と、導光体１１３と、マスク体１１４と、第１支持部１１５と、軸体１１６と、第２操作部１１７と、第２支持部１１８と、基板１１９とを備える。
【００３２】
筐体１１１は、入力装置１００の前面側（Ｚ軸方向プラス側）を覆う部材である。
【００３３】
第１操作部１１２は、運転者により操作されることにより、背面側（Ｚ軸方向マイナス側）に設けられる基板１１９に実装されている４つのスイッチ１５１〜１５４のいずれか１つを選択的に押圧する部材である。第１操作部１１２は、第１支持部１１５、軸体１１６及び第２支持部１１８により２軸で揺動可能に支持されている。具体的には、第１操作部１１２は、Ｘ軸方向及びＹ軸方向に平行な方向を軸として揺動可能に支持されている。
【００３４】
例えば、第１操作部１１２のＹ軸方向マイナス側の部位１２５が運転者によって押された場合に、当該部位１２５が軸体１１６のＸ軸方向に平行な第１軸ＡＸ１を中心に揺動し、基板１１９の当該部位１２５に対応する位置に配置されているスイッチ１５１を押圧する。また、第１操作部１１２は、第１操作部１１２のＸ軸方向プラス側の部位１２６が運転者によって押された場合に、当該部位１２６が軸体１１６のＹ軸方向に平行な第２軸ＡＸ２を中心に揺動し、基板１１９の当該部位１２６に対応する位置に配置されているスイッチ１５２を押圧する。なお、同様に、第１操作部１１２のＹ軸方向プラス側の部位１２７が押された場合は、当該部位１２７に対応する位置に配置されているスイッチ１５３を押圧し、第１操作部１１２のＸ軸方向マイナス側の部位１２８が押圧された場合は、当該部位１２８に対応する位置に配置されているスイッチ１５４を押圧する。
【００３５】
第１操作部１１２は中央に開口部１２１を有し、その開口部１２１に第２操作部１１７が配される。
【００３６】
導光体１１３は、基板１１９に実装されている光源１６１〜１６４から発光された光を、スイッチ１５１〜１５４からスイッチ１５１〜１５４の押圧方向（Ｚ軸方向マイナス側）とは反対方向（Ｚ軸方向プラス側）に向けて光を導く。導光体１１３は、具体的には、基板１１９の前側（Ｚ軸方向プラス側）に設けられている。導光体１１３は、透明な材料により構成されており、例えば、アクリル樹脂や、ポリカーボネート樹脂等により構成される。
【００３７】
導光体１１３は、光源１６１〜１６４から発光された光を、第１操作部１１２の４つの部位１２５〜１２８のそれぞれに対応する４つの位置に形成されている４つの反射意匠１４１〜１４４（後述参照）においてＺ軸方向プラス側に光を反射する。つまり、入力装置１００の第１操作部１１２の４つの部位１２５〜１２８のそれぞれには、光源１６１〜１６４が発光している場合、４つの反射意匠１４１〜１４４が表示される。
【００３８】
マスク体１１４は、略矩形板状の４つのマスク部材４０１〜４０４である。複数のマスク部材４０１〜４０４は、それぞれ、基板１１９に実装されている光源１７１〜１７４から発光された光を、透光意匠４１１〜４１４の形状の透光部分でＺ軸方向プラス側に透過し、かつ、透光部分を除く遮光部分で光を遮光する。これにより、入力装置１００の第１操作部１１２の４つの部位１２５〜１２８のそれぞれには、光源１７１〜１７４が発光している場合、４つの透光意匠４１１〜４１４が表示される。
【００３９】
第１支持部１１５は、第１操作部１１２及び導光体１１３を支持する部材である。また、第１支持部１１５は、軸体１１６を第２軸ＡＸ２で揺動可能に支持している。
【００４０】
第２支持部１１８は、第２操作部１１７を支持する部材である。また、第２支持部１１８は、軸体１１６を第１軸ＡＸ１で揺動可能に支持している。
【００４１】
第１支持部１１５と第２支持部１１８とは互いに干渉しないように配置されている。このため、第１支持部１１５は、第２支持部１１８に対して軸体１１６を介することで、２軸に揺動することができる。よって、第１操作部１１２は、第２支持部１１８に対して２軸に揺動することができる。
【００４２】
第２操作部１１７は、第２支持部１１８に対してＺ軸方向にスライド可能に支持されており、Ｚ軸方向マイナス側に押された場合、基板１１９の中央に配置されるスイッチ１５５を押圧する。
【００４３】
第１支持部１１５、軸体１１６、第２操作部１１７及び第２支持部１１８は、例えば、不透明な樹脂により構成されている。
【００４４】
基板１１９は、複数のスイッチ１５１〜１５５と、導光光源としての複数の光源１６１〜１６５と、直接光源としての複数の光源１７１〜１７５とを有する配線基板である。複数のスイッチ１５１〜１５５及び複数の光源１６１〜１６５、１７１〜１７５は、基板１１９の前面側（Ｚ軸方向プラス側）の主面に実装されている。このため、簡単な構成で、複数のスイッチ１５１〜１５５と、複数の光源１６１〜１６５、１７１〜１７５とを配置することができる。なお、基板１１９は、さらに、制御回路２１０を有していてもよい。
【００４５】
複数のスイッチ１５１〜１５５のそれぞれは、押圧されることによりオンオフを切り替えるスイッチである。具体的には、複数のスイッチ１５１〜１５５のそれぞれは、押圧されることにより、予め設定されている機能のオンオフを切り替えるスイッチである。
【００４６】
４個の光源１６１〜１６４は、それぞれ、導光体１１３の４個の導光脚部に対応して配置される。４個の光源１６１〜１６４は、環状に並んで配置される。同様に、光源１６５は、第２操作部１１７に光を導く、後述する導光体５２０に対応して配置され、光源１７５は、第２操作部１１７に対向して配置される、後述するマスク体５５０に対応して配置される。複数の光源１６１〜１６５、１７１〜１７５のそれぞれは、例えば、ＬＥＤ（Ｌｉｇｈｔ  Ｅｍｉｔｔｉｎｇ  Ｄｉｏｄｅ）により構成されている。
【００４７】
また、複数のスイッチ１５１〜１５５は、基板１１９の主面（つまり前面）の互いに異なる位置に配置されている。同様に、複数の光源１６１〜１６５、１７１〜１７５は、基板１１９の主面の互いに異なる位置に配置されている。
【００４８】
なお、第１操作部１１２は、透光性を有する材料により構成されており、例えば、樹脂により構成されている。第１操作部１１２は、スモークに着色されていることが好ましい。これにより、基板１１９に実装されている光源１６１〜１６４または光源１７１〜１７４が発光している場合には、導光体１１３に形成されている反射意匠１４１〜１４４が発光している光または透光意匠４１１〜４１４が透過している光をＺ軸方向プラス側に出射させることができ、当該光源１６１〜１６５または当該光源１７１〜１７４が発光していない場合には、内部の部品が運転者によって視認される可能性を低減させることができる。
【００４９】
［１−３．第２操作部の構成］
第２操作部１１７の詳細な構成について説明する。
【００５０】
図５は、第２操作部の分解斜視図である。
【００５１】
第２操作部１１７は、前面部５１０と、導光体５２０と、マスク体５５０と、スライド部５６０とを備える。
【００５２】
前面部５１０は、第２操作部１１７の前面側（Ｚ軸方向プラス側）を覆う部材である。前面部５１０は、導光体５２０のＺ軸方向プラス側に配置される部材である。前面部５１０は、第１操作部１１２と同様に、導光体５２０においてスイッチ１５５の押圧方向とは反対方向に向けて導かれた光を透過する、透明な材料により構成されている。
【００５３】
導光体５２０は、基板１１９に実装されている光源１６５から発光された光を、スイッチ１５５からスイッチ１５５の押圧方向（Ｚ軸方向マイナス側）とは反対方向（Ｚ軸方向プラス側）に向けて光を導く。導光体５２０は、具体的には、基板１１９の前側（Ｚ軸方向プラス側）に設けられている。導光体１１３は、透明な材料により構成されており、例えば、アクリル樹脂、ポリカーボネート樹脂等により構成される。導光体５２０の具体的な構成は、後述する。
【００５４】
マスク体５５０は、略矩形板状の部材である。マスク体５５０は、基板１１９に実装されている光源１７５から発光された光を、透光意匠５５１の形状の透光部分（図５の白抜き部分）でＺ軸方向プラス側に透過し、かつ、透光部分を除く遮光部分（図５のドットパターン）で光を遮光する。これにより、入力装置１００の第２操作部１１７の前面には、光源１７５が発光している場合、透光意匠５５１が表示される。
【００５５】
スライド部５６０は、前面部５１０、導光体５２０およびマスク体５５０を支持し、かつ、第２支持部１１８に対してＺ軸方向にスライド可能に支持される部材である。スライド部５６０は、前面部５１０がＺ軸方向マイナス側に押されることでＺ軸方向マイナス側に移動し、基板１１９の中央に配置されるスイッチ１５５を押圧する。スライド部５６０は、例えば、不透明な樹脂により構成されている。
【００５６】
［１−３−１．導光体の構成］
次に、図６および図７を参照しながら、実施の形態に係る導光体５２０の構成について説明する。なお、以下の説明では、Ｘ軸方向が第３方向、Ｙ軸方向が第１方向、Ｚ軸方向が第２方向であると定義する。
【００５７】
図６は、導光体５２０の外観斜視図である。図７は、導光体５２０をＺ軸方向から見た図である。図７の（ａ）は、導光体５２０の出射部５２２を正面視し、かつ、導光脚部５２１での導光経路を展開図的に仮想的に示した図である。図７の（ａ）において、実線は光源１６５からの主ビームを示し、一点鎖線は光源１６５からの副ビームを示し、二点鎖線は導光脚部を展開したと仮定したときの仮想線を示す。主ビームは、光源１６５から発せられる光のうち最も明るい角度の光である。副ビームは、主ビーム以外の角度の光である。また、図８の（ｂ）は、図８の（ａ）で示すＺ軸方向から見た導光体５２０の導光脚部５２１とは反対側の端面５２４を拡大した図である。
【００５８】
導光体５２０は、入光部としての導光脚部５２１と、出射部５２２とを有する。
【００５９】
導光脚部５２１は、光源１６５の光を入光する。導光脚部５２１は、Ｚ軸方向マイナス側の端面５２４である入光面５２１ａから光源１６５の光を入光する。入光面５２１ａは、光源１６５に対向している。導光脚部５２１は、光源から出射部５２２まで延び、かつ、出射部に接続されている部位である。
【００６０】
出射部５２２は、導光脚部５２１が接続されている接続部分５２３から入光された光をＹ軸方向マイナス側に導光し、導光した光を表面に配置された反射意匠５２５においてＺ軸方向プラス側に反射する板状の部位である。出射部５２２は、ＸＹ平面に略平行に配置される板状の部位であり、その厚み方向がＺ軸方向に沿うように配置されている。出射部５２２の、反射意匠５２５の端面５２４は、Ｙ軸方向に直交する仮想面に対して傾斜している傾斜面である。
【００６１】
出射部５２２の端面５２４は、Ｘ軸方向に沿って並ぶ複数の傾斜面５３１〜５３６を有する。複数の傾斜面５３１〜５３６のそれぞれは、Ｘ軸方向において導光脚部５２１から遠ざかるほど、反射意匠５２５に近づく向きに傾斜している。つまり、導光脚部５２１のＸ軸方向の中心よりもＸ軸方向マイナス側に配置される複数の傾斜面５３１〜５３３のそれぞれは、Ｘ軸方向マイナス側に向かうほど、Ｙ軸方向プラス側に向かう向きに傾斜している。また、導光脚部５２１のＸ軸方向の中心よりもＸ軸方向プラス側に配置される複数の傾斜面５３４〜５３６は、Ｘ軸方向プラス側に向かうほど、Ｙ軸方向プラス側に向かう向きに傾斜している。
【００６２】
また、複数の傾斜面５３１〜５３６は、Ｘ軸方向において導光脚部５２１から遠い位置の傾斜面ほど仮想面に対して大きく傾斜して配置されている。つまり、傾斜面５３１よりもＸ軸方向マイナス側に配置される傾斜面５３２がＸＺ平面に対して傾斜している角度は、傾斜面５３１が仮想面としてのＸＺ平面に対して傾斜している角度よりも大きい。同様に、傾斜面５３２よりもＸ軸方向マイナス側に配置される傾斜面５３３がＸＺ平面に対して傾斜している角度は、傾斜面５３２がＸＺ平面に対して傾斜している角度よりも大きい。同様に、傾斜面５３４よりもＸ軸方向プラス側に配置される傾斜面５３５がＸＺ平面に対して傾斜している角度は、傾斜面５３４がＸＺ平面に対して傾斜している角度よりも大きい。同様に、傾斜面５３５よりもＸ軸方向プラス側に配置される傾斜面５３６がＸＺ平面に対して傾斜している角度は、傾斜面５３５がＸＺ平面に対して傾斜している角度よりも大きい。なお、ＸＺ平面に対して傾斜しているとは、例えば、ＸＺ平面に対して３０度以上９０度未満の角度範囲のうちのいずれかの角度で交差していることを言う。
【００６３】
また、出射部５２２の端面５２４は、さらに、複数の傾斜面５３１〜５３６の間をつなぐ複数の接続面５４１〜５４６を有する。複数の接続面５４１〜５４６のそれぞれは、Ｘ軸方向において導光脚部５２１側に開放されている。つまり、複数の傾斜面５３１〜５３３のそれぞれと、複数の接続面５４１〜５４３のそれぞれとは、Ｘ軸方向に交互に並んで配置されている。また、複数の傾斜面５３４〜５３６のそれぞれと、複数の接続面５４４〜５４６のそれぞれとは、Ｘ軸方向に交互に並んで配置されている。これにより、複数の傾斜面５３１〜５３６のそれぞれと、複数の接続面５４１〜５４６のそれぞれとは、段差を形成している。
【００６４】
複数の接続面５４１〜５４６は、Ｘ軸方向において導光脚部５２１から遠い位置の接続面ほど仮想面としてのＸＺ平面に対して小さく傾斜して配置されている。つまり、接続面５４１よりもＸ軸方向マイナス側に配置される接続面５４２がＸＺ平面に対して傾斜している角度は、接続面５４１がＸＺ平面に対して傾斜している角度よりも小さい。同様に、接続面５４２よりもＸ軸方向マイナス側に配置される接続面５４３がＸＺ平面に傾斜している角度は、接続面５４２がＸＺ平面に傾斜している角度よりも小さい。同様に、接続面５４４よりもＸ軸方向プラス側に配置される接続面５４５がＸＺ平面に傾斜している角度は、接続面５４４がＸＺ平面に傾斜している角度よりも小さい。同様に、接続面５４５よりもＸ軸方向プラス側に配置される接続面５４６がＸＺ平面に傾斜している角度は、接続面５４５がＸＺ平面に傾斜している角度よりも小さい。
【００６５】
出射部５２２に形成されている反射意匠５２５は、頂点がＺ軸方向プラス側に配置され底面がＺ軸方向マイナス側の空間に開放されている円錐形状または角錐形状の凹部が複数は位置されることにより形成されている。
【００６６】
［１−４．制御回路］
図８は、入力装置１００の回路構成の一例を示すブロック図である。
【００６７】
制御回路２１０は、２つの動作モードに応じて、４個のスイッチ１５１〜１５５による入力を切り替えて受け付ける。例えば、制御回路２１０は、第１動作モードとしてのメニュー選択モードと、第２動作モードとしての音楽プレイヤーモードとの２種類の動作モードで入力装置１００を動作させる。
【００６８】
また、制御回路２１０は、動作モードに応じて、割り当てられる４個のスイッチ１５１〜１５５から出力される信号による入力と、光源１６１〜１６５、１７１〜１７５により発光する意匠とを対応づけている。例えば、第１動作モードにおいては、スイッチ１５１〜１５５は、メニューを選択するために選択されている項目を移動させるための十字キーとして機能する。また、第２動作モードにおいては、スイッチ１５１〜１５５は、音楽プレイヤーの曲送り、曲戻し、音量増加、音量減少、再生／停止などのキーとして機能する。
【００６９】
つまり、制御回路２１０は、動作モードに応じて、光源１６１〜１６５と光源１７１〜１７５とのいずれかを選択的に点灯させる。これにより、制御回路２１０は、第１動作モードでは、光源１６１〜１６５を点灯させることで反射意匠１４１〜１４４、５２５が表示されるようにし、第２動作モードでは、光源１７１〜１７５を点灯させることで透光意匠４１１〜４１４、５５１が表示されるように、光源１６１〜１６５、１７１〜１７５を制御している。
【００７０】
具体的には、制御回路２１０は、第１動作モードにおいて、光源１６１〜１６５を点灯させ、かつ、光源１７１〜１７５を消灯させ、第２動作モードにおいて、光源１７１〜１７５を点灯させ、かつ、光源１６１〜１６５を消灯させる。つまり、制御回路２１０は、動作モードが第１動作モードであるか第２動作モードであるかに応じて、光源１６１〜１６５が点灯しており、かつ、光源１７１〜１７５が消灯している第１状態と、光源１７１〜１７５が点灯しており、かつ、光源１６１〜１６５が消灯している第２状態とのいずれかに選択的に遷移する。このように、制御回路２１０は、表示させている意匠が反射意匠１４１〜１４４、５２５であるか、または透光意匠４１１〜４１４、５５１であるかに応じて、押圧により各スイッチ１５１〜１５５から出力される信号を異なる入力として受け付ける。
【００７１】
なお、上記の例では、制御回路２１０は、表示させている意匠が反射意匠１４１〜１４４、５２５であるか、または透光意匠４１１〜４１４、５５１であるかに応じて、各スイッチ１５１〜１５５から出力される信号を異なる入力として受け付けるとしたが、これの代わりに、各スイッチ１５１〜１５５から出力される信号を異ならせてもよい。つまり、各スイッチ１５１〜１５５は、表示させている意匠が反射意匠１４１〜１４４、５２５であるか、または透光意匠４１１〜４１４、５５１であるかに応じて異なる信号を出力してもよい。この場合に各スイッチ１５１〜１５５は、例えば、第１動作モードでは第１の電圧の信号を出力し、第２動作モードでは第１の電圧とは異なる第２の電圧の信号を出力することで、異なる信号を出力してもよい。
【００７２】
［１−５．効果など］
本実施の形態に係る入力装置１００によれば、導光体５２０の出射部５２２には、端面５２４、つまり反射意匠５２５の導光脚部５２１側とは反対側の端面が、ＸＺ平面に傾斜している複数の傾斜面５３１〜５３６および複数の接続面５４１〜５４６である。このため、導光脚部５２１から出射部５２２に導入された光は、Ｙ軸方向マイナス側に進んで反射意匠５２５で反射すると共に、導光脚部５２１側とは反対側の端面において反射してＹ軸方向マイナス側とは反対側のＹ軸方向プラス側に進んで反射意匠５２５で反射する。これにより、反射意匠５２５は、Ｙ軸方向マイナス側からの光と、Ｙ軸方向プラス側からの光とを反射することができる。よって、入力装置１００は、反射意匠５２５の表示ムラを低減することができる。
【００７３】
本実施の形態に係る入力装置１００において、複数の傾斜面５３１〜５３６のそれぞれは、Ｘ軸方向において導光脚部５２１から遠ざかるほど、反射意匠５２５に近づく向きに傾斜している。このため、出射部５２２において端面５２４まで進んだ光をより広範囲で反射意匠５２５に向けて反射させることができる。これにより、反射意匠５２５に対してＹ軸方向マイナス側およびＹ軸方向プラス側以外の方向からの光を向けることができる。よって、入力装置１００は、反射意匠５２５の表示ムラを効果的に低減することができる。
【００７４】
本実施の形態に係る入力装置１００において、出射部５２２の端面５２４は、複数の傾斜面５３１〜５３６をつなぐ接続面５４１〜５４６を有する。このため、出射部５２２のＹ軸方向マイナス側の傾斜面５３１〜５３６の形状をＹ軸方向マイナス側に膨らむことなく配置することができる。よって、出射部５２２の端面５２４の形状をコンパクトにすることができる。これにより、入力装置１００をコンパクトな構成で実現することができる。
【００７５】
本実施の形態に係る入力装置１００において、複数の傾斜面５３１〜５３６は、Ｘ軸方向において導光脚部５２１から遠い位置の傾斜面ほど仮想面に対して大きく傾斜して配置されている。このため、出射部５２２において端面５２４まで進んだ光のうち、Ｘ軸方向において導光脚部５２１から離れた位置に進んだ光であっても、当該端面において反射意匠５２５に向けて効率よく反射させることができる。例えば、図７の（ａ）に示す副ビームを、端面５２４において反射意匠５２５に向けて反射させることができる。具体的には、図７の（ａ）に示す導光脚部５２１からの副ビームは、図７の（ｂ）に示すように、まず傾斜面５３６で反射し、次に接続面５４６で反射する。これにより、副ビームを反射意匠５２５に向けて反射させることができる。よって、入力装置１００は、反射意匠５２５の表示ムラを低減することができる。
【００７６】
本実施の形態に係る入力装置１００において、複数の接続面５４１〜５４６のそれぞれは、Ｘ軸方向において導光脚部５２１側に開放されている。そして、複数の接続面５４１〜５４６は、Ｘ軸方向において導光脚部５２１から遠い位置の接続面ほど仮想面としてのＸＺ平面に対して小さく傾斜して配置されている。このため、出射部５２２において端面５２４まで進んだ光のうち、Ｘ軸方向において導光脚部５２１から離れた位置に進んだ光であっても、当該端面において反射意匠５２５に向けて効率よく反射させることができる。よって、入力装置１００は、反射意匠５２５の表示ムラを効果的に低減することができる。
【００７７】
本実施の形態に係る入力装置１００において、出射部５２２への入光部は、光源１６５から出射部５２２まで延び、かつ、出射部５２２に接続されている導光脚部５２１により実現されている。このため、光源１６５からの光を、導光脚部５２１の側面においてさまざまな角度で反射させることができるため、出射部５２２の導光脚部５２１と接続されている部分から反射意匠５２５へ向かう光の進む角度を広範囲な角度とすることができる。これにより、反射意匠５２５は、広範囲な角度の方向からの光を反射することができ、入力装置１００は、反射意匠５２５の表示ムラを効果的に低減することができる。
【００７８】
本実施の形態に係る入力装置１００において、反射意匠５２５は、頂点がＺ軸方向プラス側に配置され底面がＺ軸方向マイナス側の空間に開放されている円錐形状または角錐形状の凹部が複数は位置されることにより形成されている。このため、反射意匠５２５は、広範囲な角度の方向からの光を効果的にＺ軸方向プラス側に向けて反射させることができる。よって、入力装置１００は、反射意匠５２５の表示ムラを効果的に低減することができる。
【００７９】
本実施の形態に係る入力装置１００において、第１操作部１１２は中央に開口部１２１を有し、その開口部１２１に第２操作部１１７が配される。これは、出射部５２２の端面５２４の形状をコンパクトにすることができることによる。したがって、開口部１２１のようにスペースに制約のある部分にも第２操作部１１７を配することができる。
【００８０】
［１−６．変形例］
［１−６−１．変形例１］
上記実施の形態では、スイッチ１５１〜１５５を有する入力装置１００としたが、スイッチ１５１〜１５５を有さずに、反射意匠１４１〜１４４、５２５または透光意匠４１１〜４１４、を選択的に表示させる表示装置として実現してもよい。また、表示装置は、マスク体１１４および光源１７１〜１７４を備えていなくてもよく、反射意匠１４１〜１４４を表示させる装置として実現してもよい。
【００８１】
［１−６−２．変形例２］
上記実施の形態の入力装置１００は、反射意匠１４１または透光意匠４１１〜４１４を選択的に表示させるとしたが、マスク体１１４および光源１７１〜１７４を備えていなくてもよく、反射意匠１４１〜１４４を表示させ、対応するスイッチ１５１〜１５４への入力を受け付ける入力装置として実現してもよい。
【００８２】
［１−６−３．変形例３］
上記実施の形態において、導光体１１３の出射部３５０に配置されている反射意匠１４１〜１４４と、マスク体１１４に配置されている透光意匠４１１〜４１４とは互いに重なって配置されているとしたが、互いに重なって配置されていなくてもよい。
【００８３】
［１−６−４．変形例４］
上記実施の形態において、出射部５２２の端面５２４は、複数の傾斜面５３１〜５３６および複数の接続面５４１〜５４６を有する構成であるとしたが、複数の接続面のみを有する構成であってもよい。つまり、出射部５２２の端面５２４は、段差が形成されていなくてもよく、Ｙ軸方向マイナス側に凸の円弧状にそれぞれが互いに隣接して配置された複数の傾斜面を有していてもよい。
【００８４】
また、出射部５２２の端面５２４は、ＸＺ平面に傾斜している複数の面を有するとしたが、これに限らずに、ＸＺ平面に傾斜している面は１つであってもよい。
【００８５】
［１−６−５．変形例５］
上記実施の形態において、出射部５２２の端面５２４が有する、複数の傾斜面５３１〜５３６および複数の接続面５４１〜５４は、Ｚ軸方向に略平行な平面であるが、これに限らない。出射部５２２の端面５２４は、ＸＺ平面に傾斜している（つまりＹ軸方向に傾斜している）面であれば、Ｘ軸方向に略平行、かつ、Ｙ軸方向およびＺ軸方向に傾斜している平面であってもよいし、Ｘ軸方向、Ｙ軸方向およびＺ軸方向に傾斜している平面であってもよい。また、出射部５２２の端面５２４は、平面に限らずに曲面であってもよい。
【００８６】
また、出射部５２２の端面５２４は、Ｙ軸方向に傾斜している平面としたが、Ｙ軸方向に傾斜していなくてもよく、傾斜している代わりに、導光体５２０の他の面よりも反射率が高い高反射率面であってもよい。つまり、出射部５２２の端面５２４は、例えば、高反射率のミラー、金属が貼り付けられることにより高反射率面を構成していてもよいし、高反射率の塗膜が形成されることにより高反射率面を構成していてもよい。さらに、端面５２４に高反射率面を形成する構成としてもよい。
【００８７】
［１−６−６．変形例６］
上記実施の形態において、出射部５２２の複数の傾斜面５３１〜５３６のＹ軸方向マイナス側の端部は、Ｘ軸方向において導光脚部５２１に近い位置の端部ほどＹ軸方向マイナス側に膨らんでいる円弧状に配置される形状であってもよい。このため、出射部５２２においてＹ軸方向マイナス側の端部まで進んだ光のうち、Ｘ軸方向において導光脚部５２１から離れた位置に進んだ光であっても、当該端面において反射意匠５２５に向けて効率よく反射させることができる。よって、入力装置１００は、反射意匠５２５の表示ムラを効果的に低減することができる。
【００８８】
［１−６−７．変形例７］
上記実施の形態において、出射部５２２のＹ軸方向プラス側には、入光部として導光脚部５２１が接続されている構成であるとするとしたが、これに限らない。導光体５２０は、例えば、導光脚部５２１がなく、出射部５２２のＹ軸方向プラス側に光源が配置されており、当該出射部５２２のＹ軸方向プラス側の端部が入光部ある構成であってもよい。
【００８９】
以上、本発明の一つまたは複数の態様に係る表示装置および入力装置について、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、本発明の一つまたは複数の態様の範囲内に含まれてもよい。
【産業上の利用可能性】
【００９０】
本開示は、表示ムラを低減させることができる表示装置、入力装置などとして有用である。
【符号の説明】
【００９１】
２  ステアリング入力装置
４  自動車
６  車載機器
８  ステアリングホイール
１２  リム
１４  スポーク
１６  ホーンスイッチカバー
１８  指
２０  ダッシュボード
１００  入力装置
１１１  筐体
１１２  第１操作部
１１３  導光体
１１４  マスク体
１１５  第１支持部
１１６  軸体
１１７  第２操作部
１１８  第２支持部
１１９  基板
１２１  開口部
１２５〜１２８  部位
１４１〜１４４  反射意匠
１５１〜１５５  スイッチ
１６１〜１６５、１７１〜１７５  光源
２１０  制御回路
４０１〜４０４  マスク部材
４１１〜４１４  透光意匠
５１０  前面部
５２０  導光体
５２１  導光脚部
５２１ａ  入光面
５２２  出射部
５２３  接続部分
５２４  端面
５２５  反射意匠
５３１〜５３６  複数の傾斜面
５４１〜５４６  複数の接続面
５５０  マスク体
５５１  透光意匠
５６０  スライド部
【図１】
2019087437.tif 000003
【図２】
2019087437.tif 000004
【図３】
2019087437.tif 000005
【図４】
2019087437.tif 000006
【図５】
2019087437.tif 000007
【図６】
2019087437.tif 000008
【図７】
2019087437.tif 000009
【図８】
2019087437.tif 000010